(57)【特許請求の範囲】
【請求項１】
包装袋の角隅部領域の幅広シール部に所定の間隔を有する少なくとも２つの引っ掛け孔及び少なくとも一方の該引っ掛け孔から幅広シール部の側縁まで延びる切り込みを設けたことを特徴とするレトルト食品用包装袋。
【請求項２】
包装袋の角隅部領域の幅広シール部に所定の間隔をもった少なくとも２つの引っ掛け孔及び少なくとも一方の該引っ掛け孔から幅広シール部の側縁まで延びる切り込みを設けるための手段を備えることを特徴とするレトルト食品用包装袋（但し、前記切り込みを設けるための手段によって形成される切り込みが、一方の引っ掛け孔と他方の引っ掛け孔とを連結するものを除く）。
【請求項３】
前記手段がミシン目であることを特徴とする請求項２記載のレトルト食品用包装袋。
【請求項４】
前記手段がノッチであることを特徴とする請求項２記載のレトルト食品用包装袋。
【発明の詳細な説明】
【技術分野】
【０００１】
本発明は、カレールー、スパゲティーソース、おでん、ハンバーグ、ミートボールなどの予め調理された食品即ちレトルト食品の包装袋に関する。
【背景技術】
【０００２】
レトルト食品を食べる際には、食品を包装袋に収納した包装体を熱湯に入れて温めて、温まった後に熱湯から取り出して開封して食品を食すことになるが、包装体を熱湯から取り出す際には、素手で取り出すことは容易ではないことから、熱湯からの取り出しを容易にするために様々な工夫がある。例えば、特許文献１〜４のように、包装袋の角隅部領域の略三角形状の幅広シール部に一つの引っ掛け孔を形成し、その引っ掛け孔に箸などを挿入して、引き上げることを可能とした包装袋が提案されている。
【先行技術文献】
【特許文献】
【０００３】
【特許文献１】特開２００２−０５９９４２号公報
【特許文献２】特開２００８−１１０７９８号公報
【特許文献３】特開２００８−２５４７８２号公報
【特許文献４】特開２００９−１９６６４６号公報
【発明の概要】
【発明が解決しようとする課題】
【０００４】
しかしながら、特許文献１〜４に記載された技術では、鍋の中で倒れている包装体の引っ掛け孔に箸などを挿入したとしても、包装体と鍋との間にあまり隙間がない場合が多いので、箸などが十分に挿入されずに引き上げている途中に引っ掛け孔から抜けて落下してしまい、熱湯から確実に引き上げることができないという問題があった。
【０００５】
本発明は、熱い容器や熱湯に手指を近づけることなく、包装体を熱湯から確実に引き上げることが可能となる包装袋を提供することを目的とする。
【課題を解決するための手段】
【０００６】
すなわち、本発明は、
（１）包装袋の角隅部領域の幅広シール部に所定の間隔を有する少なくとも２つの引っ掛け孔及び少なくとも一方の該引っ掛け孔から幅広シール部の側縁まで延びる切り込みを設けたことを特徴とするレトルト食品用包装袋。
（２）包装袋の角隅部領域の幅広シール部に所定の間隔をもった少なくとも２つの引っ掛け孔及び少なくとも一方の該引っ掛け孔から幅広シール部の側縁まで延びる切り込みを設けるための手段を備えることを特徴とするレトルト食品用包装袋（但し、前記切り込みを設けるための手段によって形成される切り込みが、一方の引っ掛け孔と他方の引っ掛け孔とを連結するものを除く）。
（３）前記手段がミシン目であることを特徴とする（２）記載のレトルト食品用包装袋。
（４）前記手段がノッチであることを特徴とする（２）記載のレトルト食品用包装袋。
を要旨とするものである。
【発明の効果】
【０００７】
本発明の包装袋は、箸などの２つの支持点で包装体を引き上げることができるので、熱い容器や熱湯に手指を近づけることなく、安定して確実に包装体を熱湯から取り出すことができる。また角隅部領域の幅広シール部は全面シールをしているので内容物も存在せず、放熱効果が高く、熱湯から取り出すとすぐに包装体を素手で持つことができ、素手で包装体を開封することができる。
【０００８】
また、引っ掛け孔及び少なくとも一方の該引っ掛け孔から幅広シール部の側縁まで延びる切り込み、或いは切り込みを設ける為の手段を設けることによって、包装体を温める際に鍋の縁に引っ掛けることも可能となる。更に包装体を温める前に、切り込みより上側の幅広シール部を引っ掛け孔の中間点の部分を折り曲げておくことで、図８に示すように、包装体と鍋との間に確実に隙間を有することができるので、箸などを十分に挿入することができ、鍋の中の熱湯から包装体を確実に取り出すことができる。
【図面の簡単な説明】
【０００９】
【図１】本願発明の包装袋の一実施形態を示した模式的正面図である。
【図２】本願発明の包装袋の他の実施形態を示した模式的正面図である。
【図３】本願発明の包装袋の他の実施形態を示した模式的正面図である。
【図４】本願発明の包装袋の他の実施形態を示した模式的正面図である。
【図５】本願発明の包装袋の他の実施形態を示した模式的正面図である。
【図６】本願発明の包装袋の他の実施形態を示した模式的正面図である。
【図７】本願発明の包装袋の使用方法を示した斜視図である。
【図８】本願発明の包装袋の使用時に切り込みより上側の幅広シール部を折り曲げた状態を示した斜視図である。
【発明を実施するための形態】
【００１０】
以下、本発明の実施形態について、図面を参照して具体的に説明する。ただし、本発明の包装袋はこれに限定されるものではない。
【００１１】
図１に示す実施形態の包装袋１は、２枚のプラスチックフィルムを重ね合わせて周辺部２にヒートシールが施されている。
【００１２】
この包装袋１には、周辺部２のシール部が交差する上部の角隅部領域の略三角形状の幅広シール部３に、所定の間隔をもって、引っ掛け孔を２つ（４Ａ、４Ｂ）設けている。これによって、使用者は、包装体を熱湯に投入して温められた後に取り出す際に、２つの引っ掛け孔４Ａ、４Ｂに箸など棒状のものを挿し込み、そして２つの支持点で包装体を挟み込むことができるので、確実に包装体を熱湯から引き上げることができる。
【００１３】
そして、包装袋１の幅広シール部３は全面シールがされているので放熱効果があり、熱湯から取り出した後に包装体を素手で持つことができる。そのために、幅広シール部３を保持部としてつまみ、周辺部２のシール箇所に設けてあるノッチ５をきっかけにして開封することができる。
【００１４】
図２に示す他の実施形態においては、片方の引っ掛け孔４Ａから幅広シール部３の側縁まで通ずる切り込み６を設けている。このように切り込み６を設けることによって、使用者は包装体を鍋の熱湯に入れた際、予め切り込みより上側の幅広シール部３を両引っ掛け孔４Ａ、４Ｂの中間の部分を折り曲げることで、包装体と鍋との間に確実に隙間を有することができるので、箸などを十分に挿入することができ、鍋の中の熱湯から包装体を確実に取り出すことができる。そして、前述したように、包装袋の角隅部領域は全面シールがされているので放熱効果があり、熱湯から取り出した後に包装体を素手で持つことができる。そのために、幅広シール部３を保持部としてつまみ、前記引っ掛け孔４Ａ内に設けてあるノッチ５’をきっかけにして開封することができる。
【００１５】
図３に示す他の実施形態においては、切り込み６Ａ、６Ｂがそれぞれの引っ掛け孔４Ａ、４Ｂに設けられている。このようにすることによって、使用者は包装体を鍋の熱湯に入れた際、予め切り込みより上側の幅広シール部３を両引っ掛け孔４Ａ、４Ｂの中間の部分を折り曲げると、包装体と鍋との間に確実に隙間を有することができるので、箸などを十分に挿入することができ、鍋の熱湯から包装体を確実に取り出すことができる。さらに、図７に示すように鍋８の縁に引っ掛けることも可能となり、包装袋の角隅部が熱湯に浸からないために、安全に包装体を取り出すことができる。
【００１６】
図２、図３に示した実施形態においては、その切り込み６及び６Ａ、６Ｂは、引っ掛け孔（４Ａ、４B）から幅広シール部３の側縁まで達しているが、図４の実施形態のように切り込み６Ａ’、６Ｂ’が幅広シール部３の側縁まで達していなくてもよい。つまり、包装袋１に、予め、引っ掛け孔から幅広シール部３の側縁まで延びる切り込みを設けるための手段を設けておき、使用時に、該手段により引っ掛け孔から幅広シール部３の側縁まで連通する切り込みが形成されるようになっていればよい。具体的には、図４に示すように、切り込み６A’の延長線上の幅広シールの側縁にノッチ５’’を設けることが好ましい。そして、引っ掛け孔４Ａの内側にもノッチ５’を設け、開封の際の便宜に供することもできる。
【００１７】
さらに、別の手段としては、図５の実施形態に示すように、切り込みを設ける箇所に予めミシン目７Ａ、７Ｂを設けておき、使用時にミシン目を切り取ることによって切り込みを形成してもよい。また、他の手段としては、図６の実施形態に示すように、ノッチ５Ａ'''、５Ｂ'''を予め設けておき、使用時にノッチから切り込みを設けてもよい。このようにすることによって、包装袋の製造中に２つの引っ掛け孔の間でフィルムが切れてしまうことを防止することが可能となる。
また、図２〜５に示す各切り込みと切り込みを設けるための手段は弧状で示されているが、弧状であっても直線状であってもよく、適宜選択することができる。
【００１８】
上述の各実施形態に於いては、所定の間隔を有する引っ掛け孔を２つ設けたものを説明した。引っ掛け孔の数は２つで十分本発明の目的を達しうるが、場合によっては３つあるいはそれ以上であってもよい。
また、引っ掛け孔の形状（円形、方形、三角形）やその大きさあるいは各引っ掛け孔の間隔などは包装袋の種類、大きさあるいは重量などによって適宜選択できるものであり、包装袋の角隅部の形態としては略三角形状のものを説明したが、角隅部のシール部の形状、広さなども包装体の種類、大きさあるいは重量などによって適宜選択できるものである。
また、本発明の包装袋はレトルト食品用に特に適しているが、それには限らず加熱処理あるいは薬液処理を必要とする他の包装体の包装袋として有用であることは言うまでも無い。
包装袋の形態としては、４方シールの包装体となる包装袋に基づいて本発明の包装袋を説明したが、本発明の包装袋はこれに限定されるものではなく、スタンドパウチやガゼット袋やピロー袋などの重ね合わせたフィルム周辺部をシールしてなり、角隅部を全面シールでき、引っ掛け孔を２つ以上形成できるものであればよい。
【００１９】
本発明の包装袋に用いるフィルムは、主にプラスチックフィルムを主体とした単層フィルムや積層フィルムが用いることができ、公知の単層フィルムや積層フィルムを用いることができる。
例えば、公知の積層フィルムの構成は表面層、ガスバリア層、シーラント層の順に積層したものである。表面層に用いる材料としては、ポリエチレンテレフタレートフィルム、ナイロンフィルムやナイロン／エチレン−ビニルアルコール共重合体（EVOH）／ナイロンの順の共押出フィルムなどの一軸または二軸延伸フィルムが挙げられる。ガスバリア層に用いる材料としては、アルミニウムなどの金属箔、基材フィルムにシリカやアルミナを蒸着したフィルムやEVOHフィルムが挙げられる。さらに、シーラント層に用いる材料としては、低密度ポリエチレンフィルム、直鎖状低密度ポリエチレンフィルムあるいは高密度ポリエチレンフィルムなどのポリエチレン系フィルム、またはポリプロピレンフィルム、エチレン−プロピレンランダム共重合体フィルムあるいはエチレン−プロピレンブロック共重合体フィルムなどのポリプロピレン系フィルムが挙げられる。
なお、幅広シール部３を折り曲げたときに形状を保持するためには、アルミニウムなどの金属箔を含む積層フィルムよりなる包装袋を好適に用いることができる。
【００２０】
前記積層フィルムの構成は内容物など種類や加圧加熱殺菌時に加えられる加熱条件などによって適宜選択することができ、好適に用いられている積層フィルムの一例としては下記の通りである。
（１）二軸延伸ポリエチレンテレフタレートフィルム／／二軸延伸ナイロンフィルム／／アルミニウム箔／／無延伸ポリプロピレンフィルム（シーラント層）
（２）二軸延伸ポリエチレンテレフタレートフィルム／／アルミニウム箔／／無延伸ポリプロピレンフィルム（シーラント層）
（３）二軸延伸ポリエチレンテレフタレートフィルム／／EVOHフィルム／／アルミニウム箔／／無延伸ポリプロピレンフィルム（シーラント層）
（４）ナイロン／EVOH／ナイロンの共押出フィルム／／アルミニウム箔／／無延伸ポリプロピレンフィルム（シーラント層）
（５）二軸延伸ナイロンフィルム／／ポリエチレンフィルム（シーラント層）
なお、／／は接着剤を示すものである。
【００２１】
前記積層フィルムはドライラミネーション法や押出しラミネーション法等の通常の積層方法により製造することができる。また、必要に応じてラミネートフィルムを構成する各フィルムを、コロナ処理、オゾン処理等により前処理してもよい。
【産業上の利用可能性】
【００２２】
本発明に係る包装袋は、熱湯から包装体を確実にかつ安全に引き上げることを可能とし、さらに包装体を引き上げた後に、温められた食品等の内容物を取り出すことを容易にすることができるものである。
【符号の説明】
【００２３】
１    包装袋
２    周辺部
３    幅広シール部
４    引っ掛け孔
５    ノッチ
６    切り込み
７    ミシン目
８    包装体
９    鍋
【図１】
0005795880.tif 000002
【図２】
0005795880.tif 000003
【図３】
0005795880.tif 000004
【図４】
0005795880.tif 000005
【図５】
0005795880.tif 000006
【図６】
0005795880.tif 000007
【図７】
0005795880.tif 000008
【図８】
0005795880.tif 000009